(57)【要約】【課題】平板状の信号伝送媒体の挿入完了を容易に確認しつつ、組み立て等の取り扱い時に損傷のおそれを回避することを可能とする。【解決手段】信号伝送媒体ＰＢの挿入により揺動する変位部材１３を、信号伝送媒体ＰＢが挿入される前の初期状態においてハウジング１１の内部に収容した状態に設けて、電気コネクタ１の取り扱い時に変位部材１３を損傷させないようにする一方、信号伝送媒体ＰＢが挿入された嵌合状態にあっては、変位部材１３の弾性アーム部１３ａを信号伝送媒体ＰＢの厚さ方向に弾性的に変位させて検知部１３ｄをハウジング１１の表面から外方に突出させ、その検知部１３ｄの突出状態を目視等により観察することによって、信号伝送媒体ＰＢの挿入及び嵌合の完了が容易に確認されるようにしたものである。【選択図】図７
2019053839.tif 000002
【特許請求の範囲】
【請求項１】
絶縁性のハウジングの内部に設けられた中空状の媒体挿入通路に、平板状の信号伝送媒体が挿入されて嵌合が行われる構成になされた電気コネクタにおいて、
前記ハウジングの前記媒体挿入通路内に挿入された前記信号伝送媒体に当接することによって、当該信号伝送媒体の厚さ方向に弾性的に変位する変位部材が設けられたものであって、
前記変位部材は、
前記信号伝送媒体の厚さ方向に弾性的に変位する揺動部分を備えた片持ち状の弾性アーム部と、
前記弾性アーム部の揺動部分に連結されて前記媒体挿入通路の中空内部に突出する状態に配置された媒体当接部と、
前記弾性アーム部の揺動部分に連結されて前記媒体当接部の突出方向と反対の方向に突出する検知部と、
を備え、
前記信号伝送媒体の挿入が行われる前の初期状態において、前記変位部材の全体が前記ハウジングの内部に収容されている一方、
前記信号伝送媒体の挿入が完了した後の嵌合状態において、前記信号伝送媒体の一部が前記変位部材の媒体当接部に当接することにより、前記弾性アーム部が前記信号伝送媒体の厚さ方向に弾性的に変位し、前記検知部が前記ハウジングの表面から外方に突出する構成になされていることを特徴とする電気コネクタ。
【請求項２】
前記弾性アーム部は、前記ハウジングに連結された部分が揺動する構成を備えたものであって、
前記弾性アーム部が連結された部分から前記検知部までの距離ｒ１が、前記連結された部分から前記媒体当接部までの距離ｒ２より大きい（ｒ１＞ｒ２）ことを特徴とする請求項１記載の電気コネクタ。
【請求項３】
前記弾性アーム部は、前記ハウジングに連結された部分から前記検知部及び媒体当接部に向かって片持ち状に延出するものであって、
前記片持ち状に延出する方向が、前記信号伝送媒体の挿入方向と反対の方向であることを特徴とする請求項１記載の電気コネクタ。
【請求項４】
前記検知部は、突出方向に対して傾斜してその突出方向に延びる面取り形状を有していることを特徴とする請求項１記載の電気コネクタ。
【請求項５】
前記変位部材は、前記信号伝送媒体の挿入方向及び厚さ方向の双方に直交する幅方向において、一対配置されていることを特徴とする請求項１記載の電気コネクタ。
【発明の詳細な説明】
【技術分野】
【０００１】
本発明は、電気コネクタに関する。
【背景技術】
【０００２】
従来から、種々の電気機器等において、フレキシブルフラットケーブル（ＦＦＣ）やフレキシブルプリント基板（ＦＰＣ）などの平板状の信号伝送媒体を、回路配線基板に対して電気的に接続するための電気コネクタが広く採用されている。その種の電気コネクタは、絶縁性のハウジングに取り付けられた導電コンタクト部材の接続端子部を、回路配線基板の導電路に半田等により接続した実装状態で使用され、ハウジングに設けられた挿入開口部を通して内部に挿入された信号伝送媒体が、導電コンタクト部材に接触することで回路配線基板と電気的に接続されるようになっている。
【０００３】
このように電気コネクタの内部に信号伝送媒体を挿入するにあたって、例えば、下記の特許文献１においては、コネクタ装置１に対する配線基板（信号伝送媒体）１０２の挿入が完了した嵌合時（ロック時）に、ロック解除ブロック７及びアーム部８が、ハウジング２の上表面から外方（上方）に張り出すように変位する構成が採用されている。そして、そのロック解除ブロック７及びアーム部８が外方（上方）へ変位した状態を外部から目視等により確認することによって、配線基板（信号伝送媒体）１０２がコネクタ装置１に挿入されて嵌合された状態の確認が行われるようになっている。
【０００４】
ところが、上述した従来の電気コネクタに採用されているロック解除ブロック７及びアーム部８は、配線基板（信号伝送媒体）１０２がコネクタ装置１に挿入される前の初期状態において、既にハウジング２の上表面から外方に段差状をなして突出する状態に配置されている。そのため、電気コネクタの組み立て等の取り扱い時に、それら外方に突出するロック解除ブロック７及びアーム部８に、組み立て冶具等が接触して電気コネクタを損傷させるおそれがある。
【先行技術文献】
【特許文献】
【０００５】
【特許文献１】特許第５８４２６７７号公報
【発明の開示】
【発明が解決しようとする課題】
【０００６】
そこで本発明は、平板状の信号伝送媒体の挿入完了を容易に確認可能としつつ、組み立て等の取り扱い時における損傷のおそれを回避することができるようにした電気コネクタを提供することを目的とする。
【課題を解決するための手段】
【０００７】
上記目的を達成するため、請求項１に記載された発明にかかる電気コネクタでは、絶縁性のハウジングの内部に設けられた中空状の媒体挿入通路に、平板状の信号伝送媒体が挿入されて嵌合が行われる構成になされた電気コネクタにおいて、前記ハウジングの前記媒体挿入通路内に挿入された前記信号伝送媒体に当接することによって、当該信号伝送媒体の厚さ方向に弾性的に変位する変位部材が設けられたものであって、前記変位部材は、前記信号伝送媒体の厚さ方向に弾性的に変位する揺動部分を備えた片持ち状の弾性アーム部と、前記弾性アーム部の揺動部分に連結されて前記媒体挿入通路の中空内部に突出する状態に配置された媒体当接部と、前記弾性アーム部の揺動部分に連結されて前記媒体当接部の突出方向と反対の方向に突出する検知部とを備え、前記信号伝送媒体の挿入が行われる前の初期状態において、前記変位部材の全体が前記ハウジングの内部に収容されている一方、前記信号伝送媒体の挿入が完了した後の嵌合状態において、前記信号伝送媒体の一部が前記変位部材の媒体当接部に当接することにより、前記弾性アーム部が前記信号伝送媒体の厚さ方向に弾性的に変位し、前記検知部が前記ハウジングの表面から外方に突出する構成が採用されている。
【０００８】
このような請求項１記載の構成によれば、平板状の信号伝送媒体の挿入が行われる前の初期状態において、変位部材がハウジングの表面から外方に突出しない状態となっていることから、電気コネクタの組み立て等の取り扱い時において変位部材を損傷させることがない。一方、信号伝送媒体の挿入が完了した後の嵌合状態においては、変位部材の検知部がハウジングの表面から外方に突出する状態になされ、その検知部の突出状態を目視等により観察することによって、信号伝送媒体の挿入及び嵌合が完了したことが容易に確認される。
【０００９】
また、請求項２に記載された発明のように、前記弾性アーム部は、前記ハウジングに連結された部分が揺動する構成を備えたものであって、前記弾性アーム部が連結された部分から前記検知部までの距離ｒ１が、前記連結された部分から前記媒体当接部までの距離ｒ２より大きい（ｒ１＞ｒ２）構成とすることが望ましい。
【００１０】
このような請求項２記載の構成によれば、平板状の信号伝送媒体が変位部材の媒体当接部に当接した際における媒体当接部の移動量に対して、検知部の揺動量が多くなり、信号伝送媒体の厚みが比較的薄くても、信号伝送媒体の挿入および嵌合が完了したことが容易に確認される。
【００１１】
さらに、請求項３に記載された発明のように、前記弾性アーム部は、前記ハウジングに連結された部分から前記検知部及び媒体当接部に向かって片持ち状に延出するものであって、前記片持ち状に延出する方向が、前記信号伝送媒体の挿入方向と反対の方向であることが望ましい。
【００１２】
このような請求項３記載の構成によれば、検知部の配置位置が、平板状の信号伝送媒体が挿入される媒体挿入通路の開口部に近い作業者寄りに設定されることから、信号伝送媒体の挿入及び嵌合の確認が一層容易化される。
【００１３】
さらにまた、請求項４に記載された発明のように、前記検知部は、突出方向に対して傾斜してその突出方向に延びる面取り形状を有していることが望ましい。
【００１４】
このような請求項４記載の構成によれば、電気コネクタの組み立て等の取り扱い時において、検知部に対する冶具等の接触が面取り形状により回避されることとなり、作業性の向上が図られる。
【００１５】
加えて、請求項５に記載された発明のように、前記変位部材は、前記信号伝送媒体の挿入方向及び厚さ方向の双方に直交する幅方向において、一対配置されていることが望ましい。
【００１６】
このような請求項５記載の構成によれば、平板状の信号伝送媒体が、幅方向に傾いた状態で挿入された場合に、両側の検知部の揺動量が互いに異なることとなり、信号伝送媒体の不十分な挿入状態が容易に確認可能となる。
【発明の効果】
【００１７】
以上述べたように本発明にかかる電気コネクタは、信号伝送媒体の挿入により当該信号伝送媒体の厚さ方向に弾性的に変位する変位部材を、信号伝送媒体の挿入が行われる前の初期状態において、ハウジングの内部に収容した状態に設け、ハウジングの表面から変位部材が外方に突出しない状態とすることによって、電気コネクタの組み立て等の取り扱い時に変位部材を損傷させることを回避する一方、信号伝送媒体の挿入が完了した後の嵌合状態において、信号伝送媒体の一部を変位部材の媒体当接部に当接させ、当該変位部材の弾性アーム部を信号伝送媒体の厚さ方向に弾性的に変位させることにより、変位部材の検知部をハウジングの表面から外方に突出させ、その検知部の突出状態を目視等により観察することによって、信号伝送媒体の挿入及び嵌合が完了されたことを容易に確認可能とする構成を採用したものであるから、信号伝送媒体の挿入完了を容易に確認しつつ、組み立て等の取り扱い時に損傷のおそれを回避することができる。
【図面の簡単な説明】
【００１８】
【図１】本発明の第１の実施形態にかかる電気コネクタの初期状態を正面上方から表した外観斜視説明図である。
【図２】図１に示されている電気コネクタを背面上方から表した外観斜視説明図である。
【図３】図１及び図２に示されている電気コネクタの正面説明図である。
【図４】図１〜図３に示されている電気コネクタを表した平面説明図である。
【図５】図３中の V−V 線に沿った横断面説明図である。
【図６】図１〜図５に示されている電気コネクタに対して信号伝送媒体（ＦＦＣ，ＦＰＣ等）を上方から挿入して嵌合させた状態を表した正面説明図である。
【図７】図６中の VII−VII 線に沿った横断面説明図である。
【図８】図６中の VIII−VIII 線に沿った横断面説明図である。
【図９】本発明の第２の実施形態にかかる電気コネクタの初期状態を正面上方から表した外観斜視説明図である。
【図１０】図９に示されている電気コネクタの正面説明図である。
【図１１】図１０中の XI − XI 線に沿った横断面説明図である。
【図１２】図９〜図１１に示されている電気コネクタに対して信号伝送媒体（ＦＦＣ，ＦＰＣ等）を上方から挿入して嵌合させた状態を表した正面説明図である。
【図１３】図１２中の XIII−XIII 線に沿った横断面説明図である。
【図１４】図１２中の XIV−XIV 線に沿った横断面説明図である。
【発明を実施するための形態】
【００１９】
以下、本発明の一実施形態にかかる電気コネクタの構成を、図面に基づいて詳細に説明する。
【００２０】
［電気コネクタの全体構造について］
図１〜図８に示されている本発明の第１の実施形態にかかる電気コネクタ１は、各種の電子機器等に設けられた電子回路の一部を構成している回路配線基板Ｐ（図５〜図８参照）に半田接続により実装される電気コネクタである。当該電気コネクタ１は、樹脂等の絶縁性部材からなるハウジング１１を有しているとともに、そのハウジング１１の内部には、複数の導電コンタクト（導電端子）１２が、予め定められた間隔で配列されている。そして、略水平に配置された回路配線基板Ｐの主面に対して、ハウジング１１が略垂直方向に立ち上がるように配置された実装状態で使用される構成になされている。
【００２１】
以下においては、回路配線基板Ｐの主面が水平状態に延在しているものとし、その回路配線基板Ｐの主面からハウジング１１が立ち上がる方向を「上方向」、ハウジング１１の立ち上がり方向と反対の方向を「下方向」とする。また、そのハウジング１１内におけるコンタクト部材１２の配列方向を「コネクタ幅方向」とし、それらの「コネクタ幅方向」及び「上下方向」の双方に直交する方向を「コネクタ前後方向」と呼ぶこととする。
【００２２】
図５に示すように、上述したハウジング１１における上方の端面には、後述するフレキシブルフラットケーブル（ＦＦＣ）やフレキシブルプリント基板（ＦＰＣ）などからなる平板状の信号伝送媒体ＰＢが挿入される挿入開口部１１ａが、「コネクタ幅方向」に沿ってスリット状をなして延在するように形成されている。そして、その挿入開口部１１ａからハウジング１１の内部の下方に向かって、信号伝送媒体ＰＢの端末部分を受け入れる媒体挿入通路１１ｂが、中空状の通路をなすように延出している。
【００２３】
そして、上述した挿入開口部１１ａの上方位置に、信号伝送媒体（ＦＦＣ，ＦＰＣ等）ＰＢの端末部分が、回路配線基板Ｐの主面に対して略直交するように立てられた状態で対向配置され、その後に下方に向かって移動されることによって、当該信号伝送媒体ＰＢの端末部分が、図６〜図７に示されているように挿入開口部１１ａを通して媒体挿入通路１１ｂの内部に挿入される。
【００２４】
このような信号伝送媒体（ＦＦＣ，ＦＰＣ等）ＰＢを、回路配線基板Ｐに対して垂直方向に挿入する構造によれば、挿入開口部１１ａと信号伝送媒体ＰＢとの位置関係が、ハウジング１１の上方から容易に観察されることとなり、信号伝送媒体ＰＢの挿入を開始する動作が容易かつ正確に行われる。
【００２５】
［ハウジング及び導電コンタクトについて］
上述したように信号伝送媒体（ＦＦＣ，ＦＰＣ等）ＰＢの端末部分は、ハウジング１１に設けられた媒体挿入通路１１ｂの内方に向かって挿入されるが、その媒体挿入通路１１ｂを形成している外周壁部のうち、「コネクタ前後方向」に対向している両壁部の内壁面には、凹溝状をなす複数のコンタクト取付け溝１１ｃ，１１ｃ，・・・が、「コネクタ幅方向」に予め定められた間隔をなして並列した状態に設けられている。そして、それらの各コンタクト取付け溝１１ｃの溝内に、導電コンタクト（導電端子）１２の固定ビーム部１２ａが、ハウジング１１の下方から上方に向かって差し込むようにしてそれぞれ装着されており、それによって複数の導電コンタクト１２が、「コネクタ幅方向」に予め定められた間隔をなして配列されている。
【００２６】
上述した各導電コンタクト（導電端子）１２の固定ビーム部１２ａの下端部分においては、特に図８に示されているように、回路配線基板Ｐに接触する接続端子部１２ｂが、「コネクタ前後方向」に向かって延出している。それらの各接続端子部１２ｂにおける延出方向の先端部分は、ハウジング１１の外方に向かって略水平に延出しているが、「コネクタ幅方向」に互いに隣り合う接続端子部１２ｂ，１２ｂ同士が「コネクタ前後方向」において反対の方向に延出する、いわゆる千鳥配列構造になされている。すなわち、本実施形態にかかる導電コンタクト１２は、ハウジング１１の「コネクタ前後方向」の中央部分（以下、「コネクタ中央部分」と呼ぶ。）に設けられた媒体挿入通路１１ｂを「コネクタ前後方向」に挟んだ両側の領域に配置されている。
【００２７】
そして、それらの各導電コンタクト１２の接続端子部１２ｂがハウジング１１の外方に突出している先端部分が、回路配線基板Ｐの主面上に形成された導電路（図示省略）に対して半田付けされ、それによって信号伝送回路の一部が構成されるようになっている。なお、上述したように複数配列された接続端子部１２ｂに対する半田付け作業は一括的に行うことが可能である。
【００２８】
また、上述した固定ビーム部１２ａにおける上下方向の途中位置からは、「コネクタ前後方向」に分岐するようにして弾性ビーム部１２ｃが片持ち状に延出している。この弾性ビーム部１２ｃは、固定ビーム部１２ａから一旦下方に向かって延びた後に、側面略Ｕ字形状をなして上方に向かって反転するように延出している。この弾性ビーム部１２ｃの上方延出部分は、上述した固定ビーム部１２ａと「コネクタ前後方向」に対向しているコンタクト取付け溝１１ｃの内部に配置されており、そのような弾性ビーム部１２ｃの上端部分には、信号伝送媒体ＰＢの端子部（図示省略）に接触する接点部１２ｄが、ハウジング１１の「コネクタ中央部分」に設けられた媒体挿入通路１１ｂに向かって突状に張り出すように設けられている。
【００２９】
［信号伝送媒体について］
上述したようにハウジング１１の内部に挿入される信号伝送媒体（ＦＦＣ，ＦＰＣ等）ＰＢは、ハウジング１１の挿入開口部１１ａの内方に挿入可能となる厚さ及び幅を有する絶縁性の平板状部材からなるベース部材を有しており、そのベース部材の一方（図７及び図８の左方）の表面には、複数の銅箔からなる導電路（電極パターン）が、前記ベース部材の幅方向と直交する長手方向に沿って略平行に延びている。それら導電路の各々は、ベース部材の幅方向に予め定められた一定の間隔をなすように配列されており、信号伝送用導電路（信号線パッド）又はシールド用導電路（シールド線パッド）のいずれかを構成している。また、それらの各導電路に対しては、絶縁性のカバーフィルム又はシールドテープ等からなるシールドプレート（カバーレイ）が層状に貼着されている。
【００３０】
このような構成を有する信号伝送媒体（ＦＰＣ又はＦＦＣ等）ＰＢの端末部分においては、上述したシールドプレート（カバーレイ）が剥がされており、それによって導電路（電極パターン）が外方に露出された状態になされ、その露出状態になされた導電路に対して適宜の表面処理層が施されることによって、接続端子部が構成されている。また、当該信号伝送媒体ＰＢの端末部分においては、上述したベース部材の他方（図７及び図８の右方）の表面に対して、絶縁性部材からなる補強板が、ベース部材の全幅領域にわたって貼り付けられている。このような補強板が配置されていることによって、信号伝送媒体ＰＢの端末部分の強度が高められているとともに、当該信号伝送媒体ＰＢの端末部分の厚さが、上述したハウジング１１の挿入開口部１１ａ及び媒体挿入通路１１ｂの寸法に合わせて適宜に調整されるようになっている。
【００３１】
ここで、前述したように絶縁性を有するハウジング１１は、当該ハウジング１１の「コネクタ中央部分」に設けられた媒体挿入通路１１ｂを「コネクタ前後方向」に挟んだ両側に一対の壁部を有しているが、そのうちの一方（図５及び図７の左方）の壁部（以下、正面側壁部という。）１１ｄには、「上下方向」に細長状に延在する一対の収容溝１１ｅ，１１ｅが貫通形成されている。これら一対の収容溝１１ｅ，１１ｅは、「コネクタ幅方向」すなわち信号伝送媒体（ＦＰＣ又はＦＦＣ等）ＰＢの挿入方向及び厚さ方向の双方に直交する方向に予め定められた間隔をなす位置、より具体的には、上述した媒体挿入通路１１ｂの内部に挿入された信号伝送媒体ＰＢの外端部分に対応した位置に配置されている。
【００３２】
上述した一対の収容溝１１ｅ，１１ｅの「コネクタ幅方向」における配置位置は、前述した媒体挿入通路１１ｂにおける「コネクタ幅方向」の外端部分に対応する位置に設定されており、「コネクタ幅方向」において最外端に配置された両導電コンタクト１２，１２のやや外方で、かつ信号伝送媒体（ＦＰＣ又はＦＦＣ等）ＰＢの幅方向の外端縁よりやや内側の位置に配置されている。
【００３３】
［変位部材について］
さらに、上述したようにハウジング１１の正面側壁部１１ｄに「上下方向」に細長状に延在している各収容溝１１ｅの内部には、媒体挿入通路１１ｂの内部に挿入された信号伝送媒体（ＦＦＣ，ＦＰＣ等）ＰＢに当接して弾性的に変位する薄板状の変位部材１３がそれぞれ配置されている（図３参照）。このように各変位部材１３は、「コネクタ幅方向」に一対配置されているが、それら一対の変位部材１３，１３の各々は、上述した各収容溝１１ｅの下端面から、信号伝送媒体ＰＢの挿入方向と反対の方向である上方向に向かって片持ち状に延出する弾性アーム部１３ａを有している（図５参照）。
【００３４】
これら各変位部材１３に設けられた弾性アーム部１３ａは、「コネクタ幅方向」に薄厚をなす板状部材から形成されており、当該弾性アーム部１３ａの下端部分は、ハウジング１１に対して一体的に連結された部分である連結部１３ａ１になされている。すなわち、この弾性アーム部１３ａは、ハウジング１１との連結部１３ａ１を中心として弾性的に揺動するように変位する揺動部材から構成されており、その揺動部材からなる弾性アーム部１３ａの上方延出部分は、信号伝送媒体（ＦＦＣ，ＦＰＣ等）ＰＢの厚さ方向である「コネクタ前後方向」に弾性的に揺動変位する構成になされている。
【００３５】
このような弾性アーム部１３ａの揺動部分における上方の先端部は、側面略山形状をなす揺動ブロック１３ｂに一体的に連結されている。この揺動ブロック１３ｂも、「コネクタ幅方向」に薄厚をなす板状部材から形成されているが、「コネクタ前後方向」においてはブロック状をなしており、上述した弾性アーム部１３ａとの連結部位から「コネクタ前後方向」の両側に張り出す形状を有している。
【００３６】
その揺動ブロック１３ｂにおける一方（図５の右方向）の張り出し部分は、媒体当接部１３ｃになされている。この媒体当接部１３ｃは、信号伝送媒体（ＦＦＣ，ＦＰＣ等）ＰＢの挿入が行われる前の初期状態（図１〜図５参照）において、前述した媒体挿入通路１１ｂの中空内部に突出する状態に配置されている。この媒体当接部１３ｃが媒体挿入通路１１ｂへ突出している部分には、当該媒体当接部１３ｃの突出方向の頂部から上方に向かって斜めに延びるガイド部１３ｃ１が設けられている。
【００３７】
上述した媒体当接部１３ｃのガイド部１３ｃ１は、上方（弾性アーム部１３ａの突出方向）に延びるに従って媒体挿入通路１１ｂから遠ざかる傾斜面から形成されており、信号伝送媒体（ＦＦＣ，ＦＰＣ等）ＰＢが媒体挿入通路１１ｂの内部に上方から挿入されて来た際に（図６〜図８参照）、その信号伝送媒体ＰＢの下端部が、当該ガイド部１３ｃ１に対して上方から当接する関係をなすように配置されている。そして、上述したように信号伝送媒体ＰＢがガイド部１３ｃ１に当接することによって当該ガイド部１３ｃ１に発生する「コネクタ前後方向」の分力で、媒体当接部１３ｃを含む揺動ブロック１３ｂの全体が、弾性アーム部１３ａの弾性力に抗して「コネクタ前後方向」、より具体的には、媒体挿入通路１１ｂから遠ざかる方向に変位する構成になされている。
【００３８】
更に、上述の状態から信号伝送媒体（ＦＦＣ，ＦＰＣ等）ＰＢの挿入が進行することで、当該信号伝送媒体ＰＢの下端部分に対して媒体当接部１３ｃの突出頂部が乗り上げる状態となり（図７参照）、そのときに揺動ブロック１３ｂの変位が最大の状態となる。この揺動ブロック１３ｂの最大の変位状態は、信号伝送媒体ＰＢの挿入が完了する嵌合状態まで継続される。
【００３９】
一方、前述した揺動ブロック１３ｂの他方（図５の左方向）の張り出し部分は、媒体当接部１３ｃの突出方向と反対の方向に突出する検知部１３ｄになされている。この検知部１３ｄは、信号伝送媒体（ＦＦＣ，ＦＰＣ等）ＰＢの挿入が行われる前の初期状態においては、前述した収容溝１１ｅの内部に配置されている。従って、当該検知部１３ｄを含む変位部材１３の全体は、初期状態（図１〜図５参照）においてハウジング１１の内部に収容された状態となる。
【００４０】
これに対して、信号伝送媒体（ＦＦＣ，ＦＰＣ等）ＰＢの挿入が完了した後の嵌合状態（図６〜図８参照）においては、前述したように弾性アーム部１３ａが、信号伝送媒体ＰＢの厚さ方向に弾性的に変位し、それによって揺動ブロック１３ｂの全体が「コネクタ前後方向」に最大の変位状態となるが、そのような揺動ブロック１３ｂの変位に伴って、収容溝１１ｅの内部に配置されていた検知部１３ｄが、ハウジング１１の正面側壁部１１ｄの表面から外方に突出するように移動し、電気コネクタ１の上方から目視等によって観察可能となる構成になされている。
【００４１】
ここで、図５に示されているように、ハウジング１１に対する弾性アーム部１３ａの連結部１３ａ１から検知部１３ｄまでの距離をｒ１とし、媒体当接部１３ｃまでの距離をｒ２とすると、連結部１３ａ１から検知部１３ｄまでの距離ｒ１が、連結部１３ａ１から媒体当接部１３ｃまでの距離ｒ２より大きくなるように設定されている（ｒ１＞ｒ２）。これによって、媒体当接部１３ｃの揺動量に対して検知部１３ｄの揺動量が多くなり、上述したハウジング１１の正面側壁部１１ｄの表面からの外方突出量が増大される構成になされている。これにより、信号伝送媒体ＰＢの挿入および嵌合が完了したことが容易に確認される。
【００４２】
また、前述したように検知部１３ｄは、媒体当接部１３ｃの突出方向と反対の方向に突出するように配置されているが、当該検知部１３ｄの突出頂部から上方に延出している部分は、上方に向かって媒体挿入通路１１ｂに近付くように傾斜して延びる面取り形状になされている。すなわち、この面取り形状は、検知部１３ｄの突出方向に対して傾斜した状態で、その突出方向に延びる形状になされており、当該面取り形状によって検知部１３ｄの上方部分が無用な突起部分とならないように構成されている。
【００４３】
このような構成を有する本実施形態によれば、信号伝送媒体（ＦＦＣ，ＦＰＣ等）ＰＢの挿入が行われる前の初期状態において、変位部材１３の全体が収容溝１１ｅの内部に収容されて、ハウジング１１の表面から外方に突出しない状態となっていることから、電気コネクタ１の組み立て等の取り扱い時において、変位部材１３を損傷させることがない。
【００４４】
一方、信号伝送媒体（ＦＦＣ，ＦＰＣ等）ＰＢの挿入が完了した後の嵌合状態においては、変位部材１３の検知部１３ｄが、ハウジング１１の正面側壁部１１ｄの表面から外方に突出する状態になされることから、当該検知部１３ｄの突出状態を目視やセンサー等により観察することによって、信号伝送媒体ＰＢの挿入及び嵌合が完了されたことが容易に確認される。
【００４５】
特に、本実施形態においては、検知部１３ｄの揺動半径を、媒体当接部１３ｃの揺動半径より大きく設定していることで、信号伝送媒体（ＦＦＣ，ＦＰＣ等）ＰＢが変位部材１３ｄの媒体当接部１３ｃに当接した際における媒体当接部１３ｃの変位量（移動量）に対して、検知部１３ｄの変位量（移動量）が多いことから、信号伝送媒体ＰＢの厚みが比較的薄くても、信号伝送媒体ＰＢの挿入及び嵌合が完了したことが容易に確認できる。
【００４６】
さらに、本実施形態においては、変位部材１３の弾性アーム部１３ａが信号伝送媒体（ＦＦＣ，ＦＰＣ等）ＰＢの挿入方向と反対の上方に向かって延びていることから、検知部１３ｄの配置位置が、信号伝送媒体ＰＢが挿入される媒体挿入通路１１ｂの挿入開口部１１ａに近い作業者寄りに設定されている。その結果、信号伝送媒体ＰＢの挿入及び嵌合の確認が一層容易化される。
【００４７】
さらにまた、本実施形態においては、検知部１３ｄの上方部分が面取り形状を有していることから、電気コネクタ１の組み立て等の取り扱い時において、検知部１３ｄに対する冶具等の接触が面取り形状により回避されることとなり、作業性の向上が図られるようになっている。
【００４８】
加えて、本実施形態においては、「コネクタ幅方向」に一対の検知部１３ｄ，１３ｄが配置されていることから、信号伝送媒体（ＦＦＣ，ＦＰＣ等）ＰＢが、幅方向に傾いた状態で挿入された場合に、両側の検知部１３ｄ，１３ｄの揺動量が互いに異なることとなり、信号伝送媒体ＰＢの不十分な挿入状態が容易に確認可能となる。
【００４９】
次に、図９〜図１４に示した第２の実施形態にかかる電気コネクタ３の構成について説明を行う。本実施形態においては、前述した第１の実施形態が有する各部材に対応する部材に対して、十の位の符号「１」を「３」に変更して表しているが、以下においては、主として、第１の実施形態と異なる構成の説明を行い、共通する構成については基本的に説明を省略する。
【００５０】
すなわち、本実施形態における変位部材３３の弾性アーム部３３ａは、ハウジング３１の正面側壁部３１ｄに貫通形成された収容溝３１ｅの上端面から、信号伝送媒体（ＦＦＣ，ＦＰＣ等）ＰＢの挿入方向である下方向に向かって片持ち状に延びている。従って、この弾性アーム部３３ａは、当該弾性アーム部３３ａの上端部を構成している連結部３３ａ１を中心として、信号伝送媒体ＰＢの厚さ方向である「コネクタ前後方向」に弾性的に揺動する構成になされている。
【００５１】
このように上方から下方に垂下するように配置された弾性アーム部３３ａの揺動部分における下方先端部には、揺動ブロック３３ｂが一体的に連結されているが、その揺動ブロック３３ｂは、前述した第１の実施形態と同様な媒体当接部３３ｃ及び検知部３３ｄを有している。そのうちの媒体当接部３３ｃは、信号伝送媒体（ＦＦＣ，ＦＰＣ等）ＰＢの挿入が行われる前の初期状態において、媒体挿入通路３１ｂの中空内部に突出する状態に配置されており、その媒体挿入通路３１ｂへ突出している頂部から上方に向かって斜めに延びるガイド部３３ｃ１が設けられている。そして、このガイド部３３ｃ１に、信号伝送媒体ＰＢが上方から当接することによって、揺動ブロック３３ｂの全体が、弾性アーム部３３ａの弾性力に抗して「コネクタ前後方向」における媒体挿入通路３１ｂから遠ざかる方向に変位する構成になされている。
【００５２】
一方、媒体当接部３３ｃの突出方向と反対の方向に突出している検知部３３ｄは、信号伝送媒体（ＦＦＣ，ＦＰＣ等）ＰＢの挿入が行われる前の初期状態（図９〜図１１参照）において、収容溝３１ｅの内部に配置されており、それによって、当該検知部３３ｄを含む変位部材３３の全体が、初期状態においてハウジング３１の内部に収容された状態となっている。そして、信号伝送媒体ＰＢの挿入が完了した後の嵌合状態においては、上述した弾性アーム部３３ａの弾性的変位に伴って、揺動ブロック３３ｂの全体が「コネクタ前後方向」に最大の変位状態となり、収容溝３１ｅの内部に配置されていた検知部３３ｄが、ハウジング３１の正面側壁部３１ｄの表面から外方に突出するように移動し、電気コネクタ１の上方から目視等によって検知部３３ｄが観察可能となる構成になされている（図１２〜図１４参照）。
【００５３】
このような構成を有する第２の実施形態においても、上述した第１の実施形態と同様な作用・効果を得ることができるが、特に本実施形態においては、変位部材３３の弾性アーム部３３ａが、ハウジング３１に設けられた収容溝３１ｅの上端面から下方向に向かって片持ち状に延びていることから、ハウジング３１の上方部分を把持して取り扱うことが多い場合等にあっては、変位部材３３を冶具等により損傷させるなどの問題が低減される。
【００５４】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００５５】
例えば、本発明は、前述した実施形態のように回路配線基板Ｐに対して垂直方向から信号伝送媒体を挿入する垂直挿入型の電気コネクタに限定されるものではなく、回路配線基板に対して水平方向から信号伝送媒体を挿入する水平挿入型の電気コネクタに対しても同様に適用することが可能である。
【００５６】
また、本発明にかかる電気コネクタは、各実施形態のような信号伝送媒体の接続を行うものに限定されることはなく、基板と基板、或いはケーブルと基板を電気的に接続する多種多様な電気コネクタに対しても本発明は同様に適用することができる。
【産業上の利用可能性】
【００５７】
以上のように本発明は、電気機器に使用される多種多様な電気コネクタに対して広く適用することが可能である。
【符号の説明】
【００５８】
１  電気コネクタ
１１  ハウジング
１１ａ  挿入開口部
１１ｂ  媒体挿入通路
１１ｃ  コンタクト取付け溝
１１ｄ  正面側壁部
１１ｅ  収容溝
１２  導電コンタクト（導電端子）
１２ａ  固定ビーム部
１２ｂ  接続端子部
１２ｃ  弾性ビーム部
１２ｄ  接点部
１３  変位部材
１３ａ  弾性アーム部
１３ａ１  連結部
１３ｂ  揺動ブロック
１３ｃ  媒体当接部
１３ｄ  検知部
Ｐ  回路配線基板
ＰＢ  信号伝送媒体（ＦＦＣ，ＦＰＣ）
３  電気コネクタ
３１  ハウジング
３１ａ  挿入開口部
３１ｂ  媒体挿入通路
３１ｃ  コンタクト取付け溝
３１ｄ  正面側壁部
３１ｅ  収容溝
３２  導電コンタクト（導電端子）
３２ａ  固定ビーム部
３２ｂ  接続端子部
３２ｃ  弾性ビーム部
３２ｄ  接点部
３３  変位部材
３３ａ  弾性アーム部
３３ａ１  連結部
３３ｂ  揺動ブロック
３３ｃ  媒体当接部
３３ｄ  検知部
【図１】
2019053839.tif 000003
【図２】
2019053839.tif 000004
【図３】
2019053839.tif 000005
【図４】
2019053839.tif 000006
【図５】
2019053839.tif 000007
【図６】
2019053839.tif 000008
【図７】
2019053839.tif 000009
【図８】
2019053839.tif 000010
【図９】
2019053839.tif 000011
【図１０】
2019053839.tif 000012
【図１１】
2019053839.tif 000013
【図１２】
2019053839.tif 000014
【図１３】
2019053839.tif 000015
【図１４】
2019053839.tif 000016